(57)【要約】      （修正有）【課題】ワイヤーを利用して開閉を行う排煙窓において、気密材が配置される枠と框の間の隙間が適切な間隔で保持される構成を提供する。【解決手段】排煙窓１は、枠体１０と、枠体１０に対して回転可能に取り付けられる障子と、障子の戸先側に位置する上框２１に取り付けられる框側滑車８３と、上框２１に見込方向で対向する見付面（部位）１１１ａを有する上枠１１に取り付けられる枠側滑車６３と、框側滑車８３及び枠側滑車６３に掛け回され、障子を保持するワイヤー１００と、を備える。上枠１１に固定され、障子が閉鎖位置にある状態で上框２１に見込方向で接触する気密材１１３と、上框２１に固定され、障子が閉鎖位置にある状態で上枠１１に見込方向で接触し、上枠１１と上框２１の間の見込方向の隙間を所定の間隔で保持する散保持部（隙間保持部）５０と、を備える。【選択図】図３
2019167802.tif 000002
【特許請求の範囲】
【請求項１】
枠体と、
前記枠体に対して回転可能に取り付けられる障子と、
前記障子の戸先側に位置する框に取り付けられる框側滑車と、
前記枠体の内、前記框に見込方向で対向する部位を有する枠に取り付けられる枠側滑車と、
前記框側滑車及び前記枠側滑車に掛け回され、前記障子を保持するワイヤーと、
を備える排煙窓であって、
前記枠又は前記框の何れか一方に固定され、前記障子が閉鎖位置にある状態で前記枠又は前記框の何れか他方に見込方向で接触する気密材と、
前記框又は前記枠の何れか一方に固定され、前記障子が閉鎖位置にある状態で前記框又は前記枠の何れか他方に見込方向で接触し、前記枠と前記框の間の見込方向の隙間を所定の間隔で保持する隙間保持部と、を備える排煙窓。
【請求項２】
前記隙間保持部は、前記框に固定され、前記枠における前記框に対向する見付面に向けて突出する突出部を有する請求項１に記載の排煙窓。
【請求項３】
前記隙間保持部は、前記框に固定され、前記障子が開いた状態で前記ワイヤーに接触するワイヤー接触部を有する請求項１又は２に記載の排煙窓。
【発明の詳細な説明】
【技術分野】
【０００１】
本発明は、ワイヤーを利用して開閉を行う排煙窓に関する。
【背景技術】
【０００２】
排煙窓に関する技術を開示するものとして、例えば特許文献１がある。特許文献１には、枠滑車と障子滑車が露出して設けられ、この露出した障子滑車の取付け用ブラケットが裏板によって上框内部側上端より少し高目に取り付け固定されるとともに、この裏板の端部がＬ型に長く折り曲げられ更にその先端部が曲げ加工される構成の内倒し窓について記載されている。特許文献１では、これによって、障子の開放時、閉鎖時にはどこにも接触せずに納まり、上框端部の傷つきが防止されるとしている。
【先行技術文献】
【特許文献】
【０００３】
【特許文献１】特開２０１０−１８９９７３号公報
【発明の概要】
【発明が解決しようとする課題】
【０００４】
ところで、排煙窓においても、障子が閉鎖位置にある状態での気密性を高めるために、枠と框の間に気密材が配置されるが、ワイヤーの張力が強すぎる状態で障子が閉じられると、気密材が必要以上に枠又は框に押し付けられることになる。気密材が枠や框に押し付けられた状態が長期間になると、気密材に含まれる硬化剤成分等が染み出し、枠や障子との間で硬化して固着が生じ、障子が開き難くなるおそれもある。
【０００５】
本発明は、ワイヤーを利用して開閉を行う排煙窓において、気密材が配置される枠と框の間の隙間が適切な間隔で保持される構成を提供することを目的とする。
【課題を解決するための手段】
【０００６】
本発明は、枠体（例えば、後述の枠体１０）と、前記枠体に対して回転可能に取り付けられる障子（例えば、後述の障子２０）と、前記障子の戸先側に位置する框（例えば、後述の上框２１）に取り付けられる框側滑車（例えば、後述の框側滑車８３）と、前記枠体の内、前記框に見込方向で対向する部位（例えば、後述の見付面１１１ａ）を有する枠（例えば、後述の上枠１１）に取り付けられる枠側滑車（例えば、後述の枠側滑車６３）と、前記框側滑車及び前記枠側滑車に掛け回され、前記障子を保持するワイヤー（例えば、後述のワイヤー１００）と、を備える排煙窓（例えば、後述の排煙窓１）であって、前記枠又は前記框の何れか一方に固定され、前記障子が閉鎖位置にある状態で前記枠又は前記框の何れか他方に見込方向で接触する気密材（例えば、後述の気密材１１３）と、前記框又は前記枠の何れか一方に固定され、前記障子が閉鎖位置にある状態で前記框又は前記枠の何れか他方に見込方向で接触し、前記枠と前記框の間の見込方向の隙間を所定の間隔で保持する隙間保持部（例えば、後述の散保持部５０）と、を備える排煙窓に関する。
【０００７】
前記隙間保持部は、前記框に固定され、前記枠における前記框に対向する見付面（例えば、後述の見付面１１１ａ）に向けて突出する突出部（例えば、後述の中央突出部５５、外側突出部５６）を有することが好ましい。
【０００８】
前記隙間保持部は、前記框に固定され、前記障子が開いた状態で前記ワイヤーに接触するワイヤー接触部（例えば、後述のワイヤー接触部５２）を有することが好ましい。
【発明の効果】
【０００９】
本発明の排煙窓によれば、気密材が配置される枠と框の間の隙間を適切な間隔で保持することができる。
【図面の簡単な説明】
【００１０】
【図１】本発明の一実施形態に係る排煙窓を室外側から見た姿図である。
【図２】本実施形態の排煙窓が備える枠側滑車部及び框側滑車部を室外側から示す図である。
【図３】本実施形態の排煙窓の障子が閉鎖位置にある状態の枠側滑車部、框側滑車部及び散保持部を示す縦断面図である。
【図４】本実施形態の排煙窓の障子の開閉を模式的に示す平面図である。
【図５】本実施形態の排煙窓の障子が閉鎖位置から開き始めた状態における框側滑車部及び散保持部を示す縦断面図である。
【図６】本実施形態の排煙窓の障子が閉鎖位置から大きく開いた状態における框側滑車部及び散保持部を示す縦断面図である。
【図７】本実施形態の排煙窓が備える散保持部を上側から見た斜視図である。
【図８】本実施形態の排煙窓が備える散保持部を下側から見た斜視図である。
【発明を実施するための形態】
【００１１】
以下、本発明の好ましい実施形態について、図面を参照しながら説明する。なお、本明細書において、「見付方向」とは、建物に形成された開口部に納められた排煙窓（建具）における障子の面方向を意味し、「見込方向」とは、上記障子の厚み方向を意味する。
【００１２】
図１は、本発明の一実施形態に係る排煙窓１を室外側から見た姿図である。本実施形態の排煙窓１は、建物の開口部に固定される枠体１０と、枠体１０の内側に納められる障子２０と、を主要な構成として備える排煙窓である。
【００１３】
枠体１０は、上枠１１、下枠１２及び左右の縦枠１３，１４が略矩形に枠組みされて構成されており、建物の躯体に固定される。上枠１１、下枠１２及び左右の縦枠１３，１４は、アルミの押出し成形品であり、金属製である。
【００１４】
障子２０は、上框２１、下框２２及び左右の縦框２３，２４により矩形に枠組みされた框体２５と、框体２５内に嵌め込まれて固定された面材としてのガラス２６と、を含んで構成される。本実施形態の障子２０は、下枠１２に配置される回転機構（図示省略）により、室外側に回転可能に支持されている。障子２０の回転軸は、該下枠１２の長手方向と平行な方向となっている。
【００１５】
本実施形態の障子２０は、ワイヤー１００の張力によって閉鎖位置で保持される。次に、ワイヤー１００を利用した保持機構について説明する。上枠１１には、左右二箇所に枠側滑車部６０が配置される。また、上框２１にも、枠側滑車部６０に対応する框側滑車部８０が左右２二箇所に配置される。左右の枠側滑車部６０及び框側滑車部８０は、左右対称に配置される以外は同様の構成である。
【００１６】
図２は、本実施形態の排煙窓１の枠側滑車部６０及び框側滑車部８０を示す拡大図であり、図１の鎖線で囲まれる領域Ａの内部を模式的に示す図である。即ち、図２では、図１から見て紙面右側の枠側滑車部６０及び框側滑車部８０が示されている。図３は、本実施形態の排煙窓１の障子２０が閉鎖位置にある状態の枠側滑車部６０、框側滑車部８０及び散保持部５０を示す縦断面図である。
【００１７】
図２に示すように、本実施形態の上枠１１は、障子２０が閉鎖位置にある状態で上框２１に対向する見込面１１ａを有する本体部１１０と、本体部１１０の見込方向室内側から下方に延出する室内側壁部１１１と、を備える。室内側壁部１１１の下端部には、気密材１１３を嵌合固定する嵌合部１１２が形成される。気密材１１３は、パッキンに用いられるゴム等の弾性変形可能な樹脂材料で形成される。
【００１８】
本実施形態の上框２１は、中空部を有する上框本体部２１０と、上枠１１に見込方向で対向する室内側壁部２１１と、室内側壁部２１１に嵌合する押縁部材２１２と、上框本体部２１０と室内側壁部２１１を接続する中間部２１３と、を備える。
【００１９】
上框本体部２１０は押縁部材２１２とともに、ガラス２６を挟み込むガラス溝を形成する。また、上框本体部２１０の中空部には芯材２７が配置される。室内側壁部２１１は、その下端部が見込方向室外側に屈曲しており、この部分が押縁部材２１２を嵌合する部分となる。また、上框本体部２１０と中間部２１３の接続部分には、当該接続部分から下方に延出した後、見込方向室外側に屈曲して押縁部材２１２が嵌合する中間嵌合部２１５が形成される。
【００２０】
押縁部材２１２は、略Ｕ字の断面形状となっている。押縁部材２１２の室内側の端部には鉤状に形成され、室内側壁部２１１の下端部に嵌合する室内側嵌合部２１４が形成される。押縁部材２１２の室外側の端部には鉤状に形成され、中間嵌合部２１５に嵌合する室外側嵌合部２１６が形成される。
【００２１】
枠側滑車部６０は、Ｌ字ブラケット６１と、滑車保持部６２と、枠側滑車６３と、ワイヤー固定部６４と、を備える。Ｌ字ブラケット６１は、上枠１１の見込面１１ａに締結固定される。滑車保持部６２は、Ｌ字ブラケット６１に固定され、枠側滑車６３を回転可能に保持する。滑車保持部６２は、見込方向室外側が下を向くように枠側滑車６３を傾けて保持する。枠側滑車６３にはワイヤー１００が掛け回され、該ワイヤー１００の端部がワイヤー固定部６４に保持される。
【００２２】
框側滑車部８０は、ブラケット８１と、滑車保持部８２と、框側滑車８３と、を備える。ブラケット８１は、上框２１の見込面２１ａに締結固定される。滑車保持部８２は、ブラケット８１に固定され、框側滑車８３を回転可能に保持する。滑車保持部８２は、見込方向室内側が上を向くように枠側滑車６３を傾けて保持する。框側滑車８３にはワイヤー１００が掛け回される。
【００２３】
ここで、排煙窓１の開閉について説明する。図４は、本実施形態の排煙窓１の障子２０の開閉を模式的に示す平面図である。図４では、図１において紙面左側に位置する枠側滑車部６０、框側滑車部８０及び散保持部５０が示されている。図５は、本実施形態の排煙窓１の障子２０が閉鎖位置から開き始めた状態における框側滑車部８０及び散保持部５０を示す縦断面図である。
【００２４】
本実施形態の排煙窓１は、下框２２の長手方向に沿った回転軸（図示省略）によって室外側に倒れる倒し窓である。障子２０を閉鎖位置で保持する張力が弱まるようにワイヤー１００を弛ませる操作が操作部（図示省略）で行われると、ワイヤー１００の弛みによって障子２０を内側に倒すことが可能になる。障子２０の開き量は、ワイヤー１００の弛み量に対応している。
【００２５】
図６は、本実施形態の排煙窓１の障子２０が閉鎖位置から大きく開いた状態における框側滑車部８０及び散保持部５０を示す縦断面図である。図５に示す状態からワイヤー１００を更に弛ませる操作が行われると、図６に示すように、障子２０が大きく倒れて水平方向に沿う状態となる。障子２０の位置は、框側滑車部８０を介してワイヤー１００により保持されている。
【００２６】
次に、散保持部５０について説明する。障子２０が閉鎖位置にある状態では、上枠１１の室外側を向く見付面１１１ａと上框２１の室内側を向く見付面２１１ａとが対向する。散保持部５０は、上枠１１の見付面１１１ａと上框２１の見付面２１１ａの間の隙間を所定の間隔に保持する。
【００２７】
図７は、本実施形態の排煙窓１が備える散保持部５０を上側から見た斜視図である。図８は、本実施形態の排煙窓１が備える散保持部５０を下側から見た斜視図である。図７及び図８に示すように、本実施形態の散保持部５０は、本体部５１と、本体部５１を上框２１に固定する嵌合爪５３と、上枠１１の見付面１１１ａに接触する中央突出部５５及び左右一対の外側突出部５６と、を含んで構成される。
【００２８】
本実施形態の散保持部５０は、ポリアセタール等の硬度を有し、摺動性の高い樹脂材料によって各部（本体部５１、嵌合爪５３、中央突出部５５、外側突出部５６）が一体的に成形される。
【００２９】
散保持部５０の本体部５１は、全体として細長の板状に形成される。本体部５１の下面が上框２１の見込面２１ａに対向する状態で当該上框２１に固定される。本体部５１の室内側上部には、ワイヤー接触部５２が形成される。ワイヤー接触部５２は、障子２０が閉鎖位置から開いた状態となったときにワイヤー１００に接触する部分である。ワイヤー接触部５２は、曲面となっている。
【００３０】
嵌合爪５３は、本体部５１の下面から下方に突出する。嵌合爪５３は、横方向に間隔をあけて２つ形成される。上框２１の見込面２１ａには、嵌合爪５３を嵌合するための嵌合孔（図示省略）が横方向に間隔をあけて２つ形成されており、該嵌合穴に嵌合爪５３が嵌合することで、本体部５１が上框２１に固定される。
【００３１】
中央突出部５５は、本体部５１の横方向の中央から見込方向室内側に延出する。左右一対の外側突出部５６は、本体部５１の両側のそれぞれから見込方向室内側に延出している。中央突出部５５及び外側突出部５６は、何れも上框２１に固定された状態で、上枠１１の見付面１１１ａ側に突出している。そして、中央突出部５５及び外側突出部５６の突出量は同一又は略同じになっている。また、中央突出部５５は、横方向の幅が左右の外側突出部５６に比べて大きく形成される。
【００３２】
本体部５１の見込方向室内側において、中央突出部５５と左右一側の外側突出部５６の間には凹部５７が形成され、中央突出部５５と左右他側の外側突出部５６の間には凹部５８が形成される。
【００３３】
次に、障子２０が閉鎖位置にあるときの散保持部５０の作用について説明する。図３に示すように、散保持部５０は、本体部５１が嵌合爪５３によって上框２１の見込面２１ａに固定される。障子２０が閉鎖位置にある状態で、本体部５１から見込方向室内側に突出する中央突出部５５及び左右一対の外側突出部５６の先端面が上枠１１の見付面１１１ａに当接する位置に、本体部５１が上框２１に固定される。
【００３４】
本実施形態では、図２及び図４に示すように、散保持部５０は、平面視において、框側滑車部８０の見込方向室内側に位置しており、ワイヤー１００の軌道に上下方向で重なる置に散保持部５０が位置している。
【００３５】
障子２０が閉鎖位置にある状態では、散保持部５０の中央突出部５５及び左右一対の外側突出部５６の先端面が上枠１１の見付面１１１ａに対面接触し、上枠１１の見付面１１１ａと上框２１の見付面２１１ａの間の隙間が所定の間隔で保持される。中央突出部５５と左右一側の外側突出部５６の３箇所でしっかりと所定の間隔が維持できる。なお、所定の間隔は、気密材１１３が少なくとも見込方向に弾性変形する間隔に設定されている。
【００３６】
また、散保持部５０は、ワイヤー１００の張力を受ける框側滑車部８０の室内側で隣接しているので、ワイヤー１００の張力によって上框２１が上枠１１側に押し込まれる動きを効果的に防止できる。
【００３７】
次に、障子２０が開き始めたときの散保持部５０の作用について説明する。図４及び図５に示すように、障子２０が開き始めると、それまでワイヤー１００に接触していなかった散保持部５０のワイヤー接触部５２にワイヤー１００が接触し始める。このワイヤー接触部５２により、ワイヤー１００と上框２１の直接接触が防止される。また、図５に示すように、左側に位置する枠側滑車部６０及び框側滑車部８０に対応して配置される散保持部５０は、平面視においてワイヤー１００の軌道が上下方向で凹部５８に重なっている。この左右の関係は、右側に位置する枠側滑車部６０及び框側滑車部８０に対応して配置される散保持部５０では、逆となり、平面視においてワイヤー１００の軌道が上下方向で凹部５７に重なることになる。
【００３８】
次に、障子２０が大きく開いたときの散保持部５０の作用について説明する。図６に示すように、障子２０が大きく開いた状態では障子２０とワイヤー１００の角度も大きくなって左側の散保持部５０ではワイヤー１００が凹部５８の内側を通る状態となる。この状態においても、ワイヤー１００に接触するワイヤー接触部５２によってワイヤー１００と上框２１の間に隙間が生じるように該ワイヤー１００の向きが保持される。なお、右側の散保持部５０ではワイヤー１００は凹部５７の内側を通ることになる。障子２０がこの位置にある状態では、凹部５７，５８がなければ散保持部５０に大きな力が掛かることになるが、ワイヤー１００が凹部５７，５８を通過するように構成することで、ワイヤー１００による散保持部５０へ負荷を抑制している。
【００３９】
また、散保持部５０の室内側の左右２箇所に凹部５７，５８を形成することで、左側に配置する散保持部５０と右側に配置する散保持部５０を同じ形状で成形することができ、本実施形態の構成は、製造上の点でも有利である。
【００４０】
上記実施形態によれば、以下のような効果を奏する。
本実施形態の排煙窓１は、枠体１０と、枠体１０に対して回転可能に取り付けられる障子２０と、障子２０の戸先側に位置する上框２１に取り付けられる框側滑車８３と、上框２１に見込方向で対向する見付面（部位）１１１ａを有する上枠１１に取り付けられる枠側滑車６３と、框側滑車８３及び枠側滑車６３に掛け回され、障子２０を保持するワイヤー１００と、を備える。上枠１１に固定され、障子２０が閉鎖位置にある状態で上框２１に見込方向で接触する気密材１１３と、上框２１に固定され、障子２０が閉鎖位置にある状態で上枠１１に見込方向で接触し、上枠１１と上框２１の間の見込方向の隙間を所定の間隔で保持する散保持部（隙間保持部）５０と、を備える。
【００４１】
これにより、散保持部５０によって枠体１０と障子２０の間隔が所定の間隔に保持されるので、ワイヤー１００の張力により障子２０を枠体１０に押し付ける強い力が作用した場合でも、気密材１１３が必要以上に潰れることがなくなり、固着等による気密材１１３の劣化を効果的に防止できる。
【００４２】
また、本実施形態の散保持部５０は、上枠１１における上框２１に対向する見付面１１１ａに向けて突出する中央突出部５５及び外側突出部５６を有する。
【００４３】
これにより、ワイヤー１００の張力によって押し込まれる上框２１に散保持部５０が配置されるので、上枠１１に押し付けられる力が強くても、中央突出部５５及び外側突出部５６によってしっかりと受け止めることができる。
【００４４】
また、本実施形態の散保持部５０は、上框２１に固定され、障子２０が開いた状態でワイヤー１００に接触するワイヤー接触部５２を有する。
【００４５】
これにより、ワイヤー接触部５２により、上框２１とワイヤー１００の干渉を防ぐことができる。ワイヤー１００が上框２１に接触した状態で障子２０が開くことによってワイヤー１００の張力によって上框２１が破損する事態の発生も確実に防止できる。即ち、散保持部５０により、ワイヤー１００と上框２１の干渉及び気密材１１３の劣化という２つの問題を解決できる。また、ワイヤー１００の力が大きく掛かる框側滑車８３の近傍に散保持部５０が位置するので、ワイヤー１００の張力をしっかりと受け止めることができる。
【００４６】
以上、本発明の好ましい実施形態について説明したが、本発明は、上述の実施形態に制限されるものではなく、適宜変更が可能である。
【００４７】
上記実施形態では、隙間保持部としての散保持部５０が、上框２１に固定される構成であえるが、この構成に限定されない。散保持部５０が上枠１１等の枠側に固定され、枠側から框側に突出する突出部を備える構成としてもよい。
【００４８】
上記実施形態では、散保持部５０は樹脂材料で成形されているが金属製であってもよい。例えば、上框に一体的に散保持部（隙間保持部）を形成してもよい。また、ワイヤー接触部を省略することも可能である。
【００４９】
上記実施形態では、下枠１２側を起点として一側に開く倒し窓を排煙窓１の例として説明したが、この構成に限定されない。例えば、上枠側を回転軸にして開く突出し窓にも本発明を適用することができる。
【符号の説明】
【００５０】
１  排煙窓
１０  枠体
１１  上枠(枠)
１１１ａ  見付面（框に見込方向で対向する部位）
２０  障子
２１  上框(框)
５０  隙間保持部（散保持部）
５２  ワイヤー接触部
５５  中央突出部（突出部）
５６  外側突出部（突出部）
６３  枠側滑車
８３  框側滑車
１００  ワイヤー
１１３  気密材
【図１】
2019167802.tif 000003
【図２】
2019167802.tif 000004
【図３】
2019167802.tif 000005
【図４】
2019167802.tif 000006
【図５】
2019167802.tif 000007
【図６】
2019167802.tif 000008
【図７】
2019167802.tif 000009
【図８】
2019167802.tif 000010